(57)【要約】【課題】  従来の樹脂製インナーサッシは樹脂製枠に単板ガラス、又は複層ガラスを使用しているため値段が高額で樹脂製枠が厚くアルミサッシ窓内側の取り付け幅が７センチ〜９センチ必要で室内の取り付け幅が、それ以下の場合は樹脂製インナーサッシ枠は室内にはみ出し重圧感を与え美観を損ねた。【解決手段】  アルミサッシ網戸を基本構造とする網戸の網のかわりに透明ナイロンシート又は、断熱、防音繊維素材等を使用した新インナーサッシ（内窓）であるので従来の樹脂製インンナーサッシの価格の五分の一と超低価格である。アルミサッシ網戸を基本構造とするので一枚の厚みは極薄の１１ミリと新インナーサッシ枠が室内にはみ出し重圧感を与えたり美観を損ねたりする事がなくなった。【選択図】図１
2009156008.tif 000002
【特許請求の範囲】
【請求項１】
アルミサッシ網戸を基本構造とした外面と同じように内面に押さえゴムの入る溝を設けた外面、内面の両面に網戸の網のかわりに透明ナイロンシート、或いは空気を通さない断熱、防音繊維素材等を使用した軽量、堅牢なインナーサッシ。
【発明の詳細な説明】
【技術分野】
【０００１】  本発明はアルミサッシ網戸を基本構造とした、網戸の網のかわりに透明ナイロンシート等を張ったインナーサッシに関するものである。
【背景技術】
【０００２】  従来の樹脂製インナーサッシは樹脂製枠に単板ガラス又は複層ガラスを使用したインナーサッシであった。
【特許文献１】  特許公開  平１０−１０２９１７
【発明の開示】
【発明が解決しようとする課題】
【０００３】  これは次のような問題点があった。
従来の樹脂製インナーサッシは単板ガラス又は複層ガラスを使用しているため値段が高額で樹脂製枠が厚くアルミサッシ窓内側の取り付け幅が７センチ〜９センチ必要で室内の取り付け幅がそれ以下の場合、ふかし枠（補助枠）を必要とし樹脂製インナーサッシは、ふかし枠共に室内にはみ出し部屋に重圧感を与え美観を損ねた。【０００４】  樹脂製インナーサッシは取り付け工事が必要で工事専門業者が取り付け工事に１時間も時間を必要とした。
本発明は以上のような欠点を解決することを目的とするものである。
【課題を解決するための手段】
【０００５】  本発明は上記目的を達成するために、アルミサッシ網戸を基本構造とした網戸の網のかわりに透明ナイロンシート等を張った新インナーサッシ（内窓）であるので従来の樹脂製インナーサッシの価格の五分の一と超低価格である。
アルミサッシ窓の内側に二本用のレールを設けるだけで二枚アルミサッシ戸、四枚アルミサッシ戸が工事業者に依頼する事なく家庭で簡単に数分で取り付けする事ができる。
さらにアルミサッシ網戸を基本構造とするので一枚の厚みは極薄の１１ミリと樹脂製インナーサッシの二分の一、三分の一の厚みでアルミサッシ窓内側の取り付け幅が極薄で縮小されスマートになりインナーサッシ枠が室内にはみ出し重圧感を与えたり美観を損ねたりする事がなくなった。
アルミサッシ窓の外に取り付けられたアルミサッシ網戸は強烈な暴風雨にもビクともしない軽量で堅牢な構造設計は室内に於いても新インナーサッシとして軽量、堅牢さを存分に発揮する。【０００６】  新インナーサッシの外面に取り付けられた透明ナイロンシートと同じように新インナーサッシ内面に押さえゴムの入る溝を設ければ内面にも透明ナイロンシートを張る事ができる。（押さえゴム式、パッチ式、ネジ止め式いずれでもよい）
新インナーサッシの外面、内面の両面に透明ナイロンシートを張った複層ナイロンシート新インナーサッシができる。
１１ミリの複層ナイロンシート新インナーサッシは超低価格、超軽量で断熱、防音効果はさらに増します。（１１ミリの複層ナイロンシート新インナーサッシ枠は樹脂製枠にする事もできる。空気層を大きくするため２倍、３倍の２２ミリ、３３ミリの厚さにする事もできる。従って従来の複層ガラスの空気層の２倍空気層、３倍空気層の複層ナイロンシート新インナーサッシができる。）
【発明の効果】
【０００７】  新インナーサッシ（内窓）をアルミサッシ窓内側に取り付ける事によって二重サッシとなる二重サッシの中空層の厚さ（間隔）が大きくなるほど断熱や防音効果が高まる。
例えばアルミサッシ窓内側の取り付け幅が９センチとすると新インナサッシ（二枚戸）は極薄の２．５センンチなので取り付け幅９センチのスペースに新インナーサッシを室内側の端面に合わせて取り付ければ中空層の厚さ（間隔）は大きく増大する事になる。
一方従来の樹脂製インナーサッシ（二枚戸、単板ガラス使用）は取り付け幅９センチとするとアルミサッシ窓内側の取り付け幅９センチのスペースに、はめ込み室内側の端面に合わせて取り付ければ中空層の厚さ（間隔）は新インナーサッシより大幅に減少してしまう従って新インナーサッシは従来の樹脂製インナーサッシより断熱、防音効果は格段に高まり新インナーサッシは従来の樹脂製インナーサッシより断熱性能、防音性能が優れたインナーサッシと言う事ができる。【０００８】  続々と建設される新築一戸建住宅、新築マンション、新築公団住宅、新築オフィスビル等のアルミサッシ窓は複層ガラスが多く使用されている。
複層ガラス窓はインナーサッシに比べ断熱、防音効果は劣る。
複層ガラス窓と複層ナイロンシート新インナーサッシの併用は従来にない断熱、防音効果を発揮する。
しかし複層ガラス窓は単板ガラス（複層ガラスでない一枚ガラスの事）と複層ナイロン新インナーサッシの併用を比較した場合、複層ガラスの空気層（１１ミリ〜１２ミリ）は、ごくわずかの空気層しか確保できない。
一方、単板ガラスと複層ナイロン新インナーサッシの併用は中空層の厚さ（間隔）は複層ガラスの何倍、何十倍もの中空層の厚さ（間隔）になる。
従って複層ナイロン新インナーサッシを使用するなら、あえて高価な複層ガラスにする必要はない事になる。
ガラスの複層（断熱、防音）は素材自体に限界があると考える事ができる、例えば複層ガラスの空気層を１１ミリ〜１２ミリから空気層を大きくするため２２ミリ〜３３ミリにしたとすると、複層３＋Ａ３３＋３ミリ（厚）／３＋Ａ３２＋４ミリ（厚）、複層ガラス総厚は３９ミリとなる。さらに樹脂製枠は複層ガラス総厚３９ミリが収まる樹脂製枠でなければならない、巨大な厚さの樹脂製インナーサッシになる。即ち使用不可能な厚さになる。複層ガラスで断熱、防音はガラス素材自体に限界があると考えるのが理論的である。
超高層、巨大ビルに従来の樹脂製インナーサッシの重厚な樹脂製枠と複層ガラスを使用した場合、総重量は複層ナイロンシート新インナーサッシの何倍もの重さになり超高層、巨大ビルに重量の負担をかける。
複層ナイロンシート新インナーサッシは超高層、巨大ビルに重量の負担をかけず超低価格、超軽量、取り付け簡単、断熱性、防音性は効果抜群である。
特に高層ビルの大型窓ガラスの破損脱落はとても危険である。このため衝撃や破損に強い合わせガラスが使用されている。高層ビルに使用されている合わせガラスと複層ナイロンシート新インナーサッシの併用は今までにない断熱、防音効果を発揮する事になる。
【発明を実施するための最良の形態】
【０００９】  一般木造住宅、マンション、公団住宅、オフィスビル等ではアルミサッシ透明ガラス窓にカーテン、ブラインド等を使用している。
ブラインドを取り付けた所にはカーテンは一般的に取り付けはできない。
ブラインドは遮光性に優れた機能があり、ブラインドを降ろせば外から中は見えない。
ガラス窓を開ければ内部を見られる事なく部屋の空気を入れ替える事ができる。
一方カーテンは遮光性とプライバシイを守りますが部屋の風通しの場合、強風の日などカーテンが激しく揺れ、まくれ上がり外から見ていると見苦しいものである。
これは全て他人から部屋内を見られたくないからである。
これを解決する為に、複層ナイロンシート新インナーサッシの内面（部屋側）に貼られた透明ナイロンシートのかわりに空気を通さない繊維素材の外から見えないカーテン柄地（難燃性繊維）を使用すれば複層カーテン新インナーサッシができる。（繊維素材の世界はいろんな面に進化しています。例えばスーパー繊維は鉄の５分の１〜６分の１の重さで鉄と同じ強さがあります。発熱保温繊維、紫外線遮蔽繊維、難燃性繊維、スペースシャトルにも繊維強化複合材料が使われています。）
この様に複層カーテン新インナーサッシとブラインドが併用できる。
今までブラインドが取り付けられた所にはカーテンが取り付けできなかったが複層ナイロンシート新インナーサッシとカーテンが合体した複層カーテン新インナーサッシを使用する事によってブラインドとカーテンが同時に使用することが可能になる。
複層カーテン新インナーサッシの２枚戸の場合、複層カーテン新インナーサッシを開ければ右の窓、左の窓、左右どちらでも開けられアルミサッシ透明ガラス窓から外の景色を望む事ができる。
４枚戸も同じく左右に開ける事もできるし、中央部２枚を開ける事もできアルミサッシ透明ガラス窓から外の景色を望む事ができる。
複層カーテン新インナーサッシの外面に取り付けられた透明ナイロンシートのかわりに、例えば、宇宙航空機産業で使用される耐熱、耐寒繊維素材（宇宙航空機並の断熱性）を高価でない安価で活用できるならインナーサッシのイノベーションは起こるべくして起こる事でしょう。
外気温をさえぎり、快適に室温が逃げないようにするには、家の断熱、気密性能を高める事が大切である。なかでも窓からの熱の出入りが一番大きく窓が一番の弱点である。
断熱性、防音性の高い複層カーテン新インナーサッシで開口部（窓部分）の熱の出入りを防ぎ冷暖房コストを飛躍的に節約する事ができる。次代の省エネルギ環境商品である。
【図面の簡単な説明】
【００１０】
【図１】  本発明の正面図である。
【符号の説明】
【００１１】  １  新インンナーサッシ及び複層カーテン新インナーサッシ
２  網戸の網のかわりに透明ナイロンシート、又は断熱、防音繊維素材等を使用したインナーサッシ。
【図１】
2009156008.tif 000003
【手続補正書】
【提出日】平成20年10月15日(2008.10.15)
【手続補正２】
【補正対象書類名】明細書
【補正対象項目名】０００１
【補正方法】変更
【補正の内容】
【０００１】本発明はアルミサッシ網戸を基本構造とした、網戸の網のかわりに透明ナイロンシート、ポリカボネート、プラスチック樹脂等を使用したインナーサッシに関するものである。
【手続補正３】
【補正対象書類名】明細書
【補正対象項目名】０００６
【補正方法】変更
【補正の内容】
【０００６】新インナーサッシの外面に取り付けられた透明ナイロンシートと同じように新インナーサッシ内面に押さえゴムの入る溝を設ければ内面にも透明ナイロンシートを張る事ができる。（押さえゴム式、パッチ式、ネジ止め式、枠に組み入れ式、枠に差し込み式いずれでもよい）
新インナーサッシの外面、内面の両面に透明ナイロンシートを張った複層ナイロンシート新インナーサッシができる。１１ミリの複層ナイロンシート新インナーサッシは超低価格、超軽量で断熱、防音効果はさらに増します。（１１ミリの複層ナイロンシート新インナーサッシ枠は樹脂製枠にする事もできる。空気層を大きくするため２倍、３倍の２２ミリ、３３ミリの厚さにする事もできる。従って従来の複層ガラスの空気層の２倍空気層、３倍空気層の複層ナイロンシート新インナーサッシができる。）